(57)【要約】【課題】本発明は、放送波の再放送とその放送波に代わる割り込み放送波の送信とを行う再放送装置と、この再放送装置に対する再放送波の回り込みを抑圧する回り込みキャンセラとの何れかの稼働を支援する再放送支援装置に関し、割り込み放送の終了後における放送波の再送信の再開に際して、再送信波の回り込みのキャンセルを確度高く安定に実現できることを目的とする。【解決手段】放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、前記割り込み放送波の送信が終了した時点から前記回り込みを抑圧するフィルタリングの過渡応答に要する時間以上に亘って、前記放送波の再放送の開始を保留する制御手段を備える。【選択図】図１
2014093548.tif 000002
【特許請求の範囲】
【請求項１】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記割り込み放送波の送信が終了した時点から前記回り込みを抑圧するフィルタリングの過渡応答に要する時間以上に亘って、前記放送波の再放送の開始を保留する制御手段を備えた
ことを特徴とする再放送支援装置。
【請求項２】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記割り込み放送波の送信が開始される時点で前記回り込みを抑制するフィルタリングに適用される係数を保持する係数保持手段と、
前記放送波の再放送が再開される時点で前記保持された係数を前記フィルタリングに適用する係数引き継ぎ手段と
を備えたことを特徴とする再放送支援装置。
【請求項３】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記割り込み放送波が送信される期間に亘って、前記回り込みを抑制するフィルタリングを規制する制御手段を備えた
ことを特徴とする再放送支援装置。
【請求項４】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記割り込み放送波が送信される期間に亘って、前記回り込みキャンセラの稼働を規制する制御手段を備えた
ことを特徴とする再放送支援装置。
【請求項５】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記割り込み放送波が送信される期間に亘って、前記再放送の対象となる放送波の受信を規制する制御手段を備えた
ことを特徴とする再放送支援装置。
【請求項６】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記割り込み放送波が送信される期間に亘って、前記回り込みを抑制するフィルタリングに適用される係数を初期値に設定する制御手段を備えた
ことを特徴とする再放送支援装置。
【請求項７】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記回り込みキャンセラによって推定された前記回り込みの成分のレベルが所定の閾値を下回る期間に亘って、前記回り込みを抑制するフィルタリングを規制する制御手段を備えた
ことを特徴とする再放送支援装置。
【請求項８】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記回り込みキャンセラによって推定された前記回り込みの成分のレベルが所定の閾値を下回る期間に亘って、前記回り込みキャンセラの稼働を規制する制御手段を備えた
ことを特徴とする再放送支援装置。
【請求項９】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記回り込みキャンセラによって推定された前記回り込みの成分のレベルが所定の閾値を下回る期間に亘って、前記再放送の対象となる放送波の受信を規制する制御手段を備えた
ことを特徴とする再放送支援装置。
【請求項１０】
放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置であって、
前記回り込みキャンセラによって推定された前記回り込みの成分のレベルが所定の閾値を下回る期間に亘って、前記回り込みを抑制するフィルタリングに適用される係数を初期値に設定する制御手段を備えた
ことを特徴とする再放送支援装置。
【発明の詳細な説明】
【技術分野】
【０００１】
本発明は、放送波の再放送とその放送波に代わる割り込み放送波の送信とを行う再放送装置と、この再放送装置に対する再放送波の回り込みを抑圧する回り込みキャンセラとの何れかの稼働を支援する再放送支援装置に関する。
【背景技術】
【０００２】
ＡＭ方式のラジオ放送波をトンネル等の内部に再送信する中継装置には、再送信された放送波の回り込みを抑圧する回り込みキャンセラが搭載される。
図７は、回り込みキャンセラが搭載された中継装置の構成例を示す図である。
【０００３】
図において、放送局からアンテナ４１に到来した放送波は、局部発振器４２が生成する局発信号（周波数＝ｆＬｒ）に基づいて周波数変換器４３が行う周波数変換の下で、ベースバンド信号に変換される。このようなベースバンド信号は、後述する回り込み経路の伝送路推定の下でその回り込み経路の遅延時間，振幅比，および位相に基づいて生成した逆位相波を用いた回り込み波の除去や抑圧が加算器４４によって施される。
【０００４】
周波数オフセット付加部４５は、制御部４６の配下で乗算器４７と連係することにより、電波法で既定されている再放送波の周波数許容偏差の確保に必要な周波数オフセットを付加する。さらに、周波数変換器４９は、局部発振器４８によって生成された局発信号に基づいて行う周波数変換の下で所望の周波数の再放送波を生成し、アンテナ５０からトンネル等の内部に放射する。
【０００５】
一方、制御部４６は、以下の処理を行う。
(1) 配下の周波数オフセット付加部４５によって生成される周波数オフセット量の周波数を所定のインターバルで２通りの周波数Δｆ２、（Δｆ２＋ｋ）に切り替え、これらの周波数の周波数オフセット量に応じて個別に得られるベースバンド信号を示す式の対からなる連立方程式の解として、回り込み経路の伝送路推定を行う。
【０００６】
(2) このような伝送路推定の結果として得られた上記回り込み経路の遅延時間、振幅比、および位相より回り込み波が相殺されるタップ係数をトランスバーサルフィルタ５１に設定する。
【０００７】
トランスバーサルフィルタ５１は、アンテナ５０に給電されるべき再放送波の一部に上記係数に基づく濾波処理を施すことによって、既述の回り込み経路で生じる歪みと逆位相の帰還信号を生成する。
加算器４４は、上記ベースバンド信号にこのような帰還信号を加算することによって、回り込みの相殺を図る。以下、このようにして再送信波の回り込みのキャンセルが図られる期間については、「再送信期間」という。
【０００８】
また、緊急時等における割り込み放送は、周波数変換器４９に代わる送信機５３の出力にスイッチ５２を介してアンテナ５０の給電点が接続されることにより、その送信機５３によって行われる。
なお、割り込み放送が行われている期間（以下、「割り込み放送期間」という。）には、送信機５３によって生成される割り込み放送波と通常の再放送波との占有帯域が同じであっても、その割り込み放送波は、再送信波とは無相関である。したがって、このような期間には、トランスバーサルフィルタ５１には、制御部４６の配下で、再送信波の回り込みをキャンセルするために設定される係数とは無相関な係数が設定され続ける。
【０００９】
なお、本発明に関連性がある先行技術としては、以下に列記する特許文献１〜３と非特許文献１とがある。
【００１０】
(1) 「ディジタル・オーディオ放送を受信するディジタル・オーディオ受信機と、アナログ・オーディオ放送を受信するラジオ・データ・システム受信機と、前記ディジタル・オーディオ受信機および前記ラジオ・データ・システム受信機からの放送を切り替える音声切替部と、前記音声切替部で切り替えられた音声を出力する音声出力部と、前記ディジタル・オーディオ受信機および前記ラジオ・データ・システム受信機からの割り込み情報を制御するマイコン制御部と、前記マイコン制御部にプログラム制御を実行させるための入力機器部と、前記マイコン制御部を介し、前記受信した放送および前記割り込み情報を表示するための表示部とを有する」ことにより、「ＤＡＢ受信機およびＲＤＳ受信機を備えた放送受信機において、ユーザが希望する割り込み情報を聴取する機会を増やすことのできる」点に特徴がある放送受信機…特許文献１
【００１１】
(2) 「デジタル音声放送または多重ＦＭ放送が受信可能であるとともに前記デジタル音声放送または前記多重ＦＭ放送における割り込み放送の開始を検知して自動的に前記割り込み放送の受信・再生を行う割り込み動作を開始させ、前記割り込み放送の終了を検知すると前記割り込み動作を解除させるように制御を行う制御手段を備えるラジオ受信機において、入力された音声信号をリアルタイムに話速変換処理して出力する話速変換装置を設けるとともに、前記制御手段は、割り込み放送の開始を検知して割り込み動作を開始させた場合に、前記話速変換装置を自動的に起動させて音声入力された前記割り込み放送の話速を遅延させて出力する話速変換処理を行わせ、前記割り込み放送の終了を検知すると自動的に前記話速変換処理を停止させるように前記話速変換装置を制御する割り込み放送の話速自動変換機能を備える」ことにより、「デジタル音声放送または多重ＦＭ放送における割り込み放送の開始、終了を検知して、自動的にその番組のアナウンスの話速を老齢者にも聴き取りやすい緩い速度に変換して出力する」点に特徴があるラジオ受信機…特許文献２
【００１２】
(3) 「緊急告知ＦＭラジオにおいて、無線ＦＭ放送を受信する無線放送受信手段と、ＣＡＴＶネットワークからＦＭ放送を受信するネットワーク受信手段と、前記ＦＭ放送に含まれる所定のＤＴＭＦ（ダイアルトーン・マルチフレケンシー）信号を検出する検出手段と、前記検出手段から検出信号が与えられると前記ラジオの電源がオフの場合であってもオンとして大音量の出力を生じる音声出力手段とをそなえる」ことにより、「コミュニティＦＭ放送を利用する」点に特徴がある緊急告知ＦＭラジオ…特許文献３
【００１３】
(4) 『警報電文内で示される「強い揺れが推定される地域」に自局の位置が含まれているかどうかを判別して割り込み放送を行う』ことにより、「高速道路上のドライバーによる過剰反応に起因する二次的な自己や災害の可能性を下げる」点に特徴があるコミュニティ放送局向け緊急地震速報システム…非特許文献１
【先行技術文献】
【特許文献】
【００１４】
【特許文献１】特開２００１−１５６６６１号公報
【特許文献２】特開２００６−１０１４２５号公報
【特許文献３】実用新案登録  第３１１８１８８号公報
【非特許文献】
【００１５】
【非特許文献１】放送技術２００９年２月号  ページ９５〜１０５、「ラジオ放送局向け緊急地震速報システムの開発と運用」  神谷剣治他著
【発明の概要】
【発明が解決しようとする課題】
【００１６】
ところで、このような従来例では、割り込み放送が終了して通常の再送信が開始される時点に続く所定の期間には、トランスバーサルフィルタ５１の係数は、制御部４６の配下で行われるフィードバック制御により既述の回り込みがキャンセルされる方向で更新される。
【００１７】
しかし、トランスバーサルフィルタ５１は、その内部に、先行する割り込み放送中に入力された割り込み放送波の成分が所定の期間（トランスバーサルフィルタ５１のタップ数に比例する。）に亘って残存するために、過渡的に発振状態に陥り、あるいは回り込みのキャンセルを定常的に行える状態に落ち着くまで長時間を要する可能性が高かった。
【００１８】
本発明は、割り込み放送の終了後における放送波の再送信の再開に際して、再送信波の回り込みのキャンセルを確度高く安定に実現できる再放送支援装置を提供することを目的とする。
【課題を解決するための手段】
【００１９】
請求項１に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、前記割り込み放送波の送信が終了した時点から前記回り込みを抑圧するフィルタリングの過渡応答に要する時間以上に亘って、前記放送波の再放送の開始を保留する。
【００２０】
すなわち、割り込み放送波の送信が終了した後には、放送波は、このような割り込み放送波が回り込み波に該当しないにもかかわらず稼働し続けていたフィルタの応答が過渡的に収まる時間が経過するまで、再放送の対象とはならない。
【００２１】
請求項２に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、係数保持手段は、前記割り込み放送波の送信が開始される時点で前記回り込みを抑制するフィルタリングに適用される係数を保持する。係数引き継ぎ手段は、前記放送波の再放送が再開される時点で前記保持された係数を前記フィルタリングに適用する。
【００２２】
すなわち、割り込み放送波の送信が終了した後には、回り込みを抑制するフィルタは、先行して行われていた放送波の再放送波が終了した時点の状態に速やかに復帰し、かつ後続する放送波の再放送の再開に適応して稼働することができる。
【００２３】
請求項３に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、制御手段は、前記割り込み放送波が送信される期間に亘って、前記回り込みを抑制するフィルタリングを規制する。
【００２４】
すなわち、割り込み放送波の送信が終了した後における放送波の再放送の再開は、回り込みを抑制するフィルタの状態が初期化された状態で開始される。
【００２５】
請求項４に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、制御手段は、前記割り込み放送波が送信される期間に亘って、前記回り込みキャンセラの稼働を規制する。
【００２６】
すなわち、割り込み放送波の送信が終了した後における放送波の再放送の再開は、回り込みキャンセラの状態が初期化された状態で開始される。
【００２７】
請求項５に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、制御手段は、前記割り込み放送波が送信される期間に亘って、前記再放送の対象となる放送波の受信を規制する。
【００２８】
すなわち、割り込み放送波の送信が終了した後における放送波の再放送の再開は、回り込みキャンセラの状態が初期化された状態で開始される。
【００２９】
請求項６に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、制御手段は、前記割り込み放送波が送信される期間に亘って、前記回り込みを抑制するフィルタリングに適用される係数を初期値に設定する。
【００３０】
すなわち、割り込み放送波の送信が終了した後における放送波の再放送の再開は、回り込みキャンセラの状態が初期化された状態で開始される。
【００３１】
請求項７に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、前記回り込みキャンセラによって推定された前記回り込みの成分のレベルが所定の閾値を下回る期間に亘って、前記回り込みを抑制するフィルタリングを規制する。
【００３２】
すなわち、回り込みキャンセラによって推定された回り込みの成分のレベルが所定の閾値を超える契機として割り込み放送波の送信が終了が判別され、このような送信が終了した後における放送波の再放送の再開は、回り込みを抑制するフィルタの状態が初期化された状態で開始される。
【００３３】
請求項８に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、制御手段は、前記回り込みキャンセラによって推定された前記回り込みの成分のレベルが所定の閾値を下回る期間に亘って、前記回り込みキャンセラの稼働を規制する。
【００３４】
すなわち、回り込みキャンセラによって推定された回り込みの成分のレベルが所定の閾値を超える契機として割り込み放送波の送信が終了が判別され、このような送信が終了した後における放送波の再放送の再開は、回り込みキャンセラの状態が初期化された状態で開始される。
【００３５】
請求項９に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、制御手段は、前記回り込みキャンセラによって推定された前記回り込みの成分のレベルが所定の閾値を下回る期間に亘って、前記再放送の対象となる放送波の受信を規制する。
【００３６】
すなわち、回り込みキャンセラによって推定された回り込みの成分のレベルが所定の閾値を超える契機として割り込み放送波の送信が終了が判別され、このような送信が終了した後における放送波の再放送の再開は、回り込みキャンセラの状態が初期化された状態で開始される。
【００３７】
請求項１０に記載の発明では、放送波の再放送と前記放送波に代わる割り込み放送波の送信とを行う再放送装置と、前記再放送に応じた前記再放送装置への回り込みを抑圧する回り込みキャンセラとの何れかの稼働を支援する再放送支援装置において、制御手段は、前記回り込みキャンセラによって推定された前記回り込みの成分のレベルが所定の閾値を下回る期間に亘って、前記回り込みを抑制するフィルタリングに適用される係数を初期値に設定する。
【００３８】
すなわち、回り込みキャンセラによって推定された回り込みの成分のレベルが所定の閾値を超える契機として割り込み放送波の送信が終了が判別され、このような送信が終了した後における放送波の再放送の再開は、回り込みキャンセラの状態が初期化された状態で開始される。
【発明の効果】
【００３９】
本発明によれば、割り込み放送の終了後には、回り込みを抑圧するために備えられているフィルタの過渡応答に起因する伝送品質の低下を伴うことなく、放送波の再放送が再開される。
【００４０】
また、本発明では、割り込み放送の終了後には、回り込みを抑圧するために備えられているフィルタの過渡応答が長時間に亘る場合であっても、その過渡応答が収束する時間に亘る待機を経ることなく速やかに、かつ伝送品質の低下を伴うことなく、放送波の再放送が再開される。
【００４１】
さらに、本発明では、割り込み放送の終了後には、回り込みキャンセラの過渡応答が長時間に亘る場合であっても、その過渡応答が収束する時間に亘る待機を経ることなく速やかに、かつ伝送品質の低下を伴うことなく、放送波の再放送が再開される。
【００４２】
したがって、本発明が適用された再放送系は、多様な方式および特性の回り込みキャンセラの適用が可能となり、かつ再放送される放送波だけではなく、割り込み放送波の何れも、高い伝送品質で確度高く安定に応答し、多様な契機や頻度で行われるべき割り込み放送に対する柔軟な適応が可能となる。
【図面の簡単な説明】
【００４３】
【図１】本発明の第一の実施形態を示す図である。
【図２】本発明の第一の実施形態における制御部の動作フローチャートである。
【図３】本発明の第二の実施形態を示す図である。
【図４】本発明の第二の実施形態における制御部の動作フローチャートである。
【図５】本発明の第三の実施形態を示す図である。
【図６】本発明の第三の実施形態における制御部の動作フローチャートである。
【図７】回り込みキャンセラが搭載された中継装置の構成例を示す図である。
【発明を実施するための形態】
【００４４】
以下、図面に基づいて本発明の実施形態について詳細に説明する。
〔第一の実施形態〕
図１は、本発明の第一の実施形態を示す図である。
図において、図７に示すものと機能および構成が同じものについては、同じ符号を付与し、ここでは、その説明を省略する。
【００４５】
本実施形態と図７に示す従来例との構成の相違点は、以下の点にある。
(1) 制御部４６に代えて制御部１１が備えられる。
(2) 送信機５３に代えて送信機１２が備えられる。
(3) 送信機１２の制御端子に制御部１１の対応する出力ポートが接続された点にある。
【００４６】
なお、上記制御部１１および送信機１２の基本的な機能については、それぞれ図７に示す制御部４６および送信機５３の機能と同じであるので、ここでは、その説明を省略する。
図２は、本発明の第一の実施形態における制御部の動作フローチャートである。
以下、図１および図２を参照して本実施形態の動作を説明する。
本発明の特徴は、本実施形態では、制御部１１によって以下の処理が行われる点にある。
【００４７】
(1) 「再送信期間」の定常状態には、送信機１２の稼働、またはその送信機１２による割り込み放送波の生成を規制し（図２ステップＳ１）、かつスイッチ５２の接点を主導的に制御することにより、アンテナ５０の給電点に周波数変換器４９の出力を接続する（図２ステップＳ２）。
【００４８】
(2) 「割り込み放送期間」には、送信機１２の稼働の規制、またはその送信機１２による割り込み放送波の生成の規制を解除し（図２ステップＳ３）、かつスイッチ５２の接点を主導的に制御することにより、アンテナ５０の給電点に送信機１２の出力を接続する（図２ステップＳ４）。
【００４９】
(3) 「割り込み放送期間」から「再送信期間」に移行した直後には、以下の処理を行う。
(3-1) 送信機１２の稼働の規制、またはその送信機１２による割り込み放送波の生成を規制する（図２ステップＳ５）。
【００５０】
(3-2) スイッチ５２の接点を主導的に制御することにより、既定の長さ（トランスバーサルフィルタ５１の段数に比例し、そのトランスバーサルフィルタ５１が制御部１１の配下で定常状態に移行するために要する時間）の期間に亘って、アンテナ５０の給電点を送信機１２の出力に接続したまま待機する（図２ステップＳ６）。
【００５１】
(3-3) このような期間が経過した時点で、アンテナ５０の給電点に周波数変換器４９の出力を接続する（図２ステップＳ７）。
【００５２】
すなわち、「割り込み放送期間」から「再送信期間」に移行した直後には、上記期間に亘って放送波の再送信と割り込み放送波の送信との何れもが行われない。
【００５３】
このように本実施形態によれば、割り込み放送波の送信が終了した後における放送波の再送信は、トランスバーサルフィルタ５１がその割り込み放送波の成分が残存する状態から脱却した後に、開始される。
【００５４】
したがって、割り込み放送の終了後における放送波の再送信は、回り込みキャンセラーが過渡的に好ましくない応答をすることなく、確度高く安定に再開される。
【００５５】
〔第二の実施形態〕
図３は、本発明の第二の実施形態を示す図である。
図において、図７に示すものと機能および構成が同じものについては、同じ符号を付与し、ここでは、その説明を省略する。
【００５６】
本実施形態と図７に示す従来例との構成の相違点は、制御部４６に代えて制御部２１が備えられた点にある。
なお、上記制御部２１の基本的な機能については、それぞれ図７に示す制御部４６の機能と同じであるので、ここでは、その説明を省略する。
【００５７】
図４は、本発明の第二の実施形態における制御部の動作フローチャートである。
以下、図３および図４を参照して本実施形態の動作を説明する。
本発明の特徴は、本実施形態では、制御部２１によって以下の処理が行われる点にある。
【００５８】
(1) 「再送信期間」の定常状態には、従来例と同様に、トランスバーサルフィルタ５１に設定されるべき係数を求めて更新し、その係数の最新の値を主記憶の所定の記憶領域に格納して保持する（図４ステップＳ１）。
【００５９】
(2) 「再送信期間」から「割り込み放送期間」に移行した後には、トランスバーサルフィルタ５１に設定されるべき係数を更新しても、その係数を保持する処理を省略する（図４ステップＳ２）。
【００６０】
(3) 「割り込み放送期間」から「再送信期間」に移行した時点では、先行する「再送信期間」に上記記憶領域に保持されていた最新の係数を読み出し、その係数をトランスバーサルフィルタ５１に初期値として設定し（図４ステップＳ３）、さらに、従来例と同様に、トランスバーサルフィルタ５１に設定されるべき係数を求めて更新し、その係数の最新の値を主記憶の所定の記憶領域に格納して保持する（図４ステップＳ４）。
【００６１】
すなわち、「割り込み放送期間」から「再送信期間」に移行した時点では、トランスバーサルフィルタ５１は、その「割り込み放送期間」に先行する「再送信期間」に設定されていた最新の係数が初期値として適用されることにより、回り込みキャンセルに必要な濾波処理を続行できる。
【００６２】
このように本実施形態によれば、割り込み放送波の送信が終了した後における放送波の再送信は、トランスバーサルフィルタ５１が速やかに定常状態に収束可能な条件で開始される。
【００６３】
したがって、割り込み放送の終了後における放送波の再送信は、回り込みキャンセラーが過渡的に好ましくない応答をすることなく、確度高く安定に再開される。
【００６４】
〔第三の実施形態〕
図５は、本発明の第三の実施形態を示す図である。
図において、図７に示すものと機能および構成が同じものについては、同じ符号を付与し、ここでは、その説明を省略する。
本実施形態と図７に示す従来例との構成の相違点は、以下の点にある。
【００６５】
(1) 制御部４６に代えて制御部３１が備えられる。
(2) スイッチ５２に代えてスイッチ３２が備えられる。
(3) 周波数変換器４３、４７、４９、加算器４４、局部発振器４２、４８、スイッチ３２の全てまたは一部が制御端子を有し、これらの制御端子には制御部３１の対応する出力ポートが接続される。
【００６６】
なお、上記制御部３１の基本的な機能については、図７に示す制御部４６の機能と同じであるので、ここでは、その説明を省略する。
【００６７】
図６は、本発明の第三の実施形態における制御部の動作フローチャートである。
以下、図５および図６を参照して本実施形態の動作を説明する。
本発明の特徴は、本実施形態では、制御部３１によって以下の処理が行われる点にある。
【００６８】
(1) 「再送信期間」の定常状態には、従来例と同様に、トランスバーサルフィルタ５１に設定されるべき係数を求めて更新し、その係数の最新の値を主記憶の所定の記憶領域に格納して保持する（図６ステップＳ１）。
【００６９】
(2) 「割り込み放送期間」には、周波数変換器４３、４７、４９、加算器４４、局部発振器４２、４８、スイッチ３２、トランスバーサルフィルタ５１、周波数オフセット付加部４５の全てまたは一部の動作を規制することにより、以下に列記する項目の全てまたは一部を制止させる（図６ステップＳ２）。
【００７０】
(2-1) トランスバーサルフィルタ５１によって行われる濾波処理
(2-2) トランスバーサルフィルタ５１および加算器４４の連係によって行われる回り込みキャンセル
【００７１】
(2-3) アンテナ４１に到来した放送波の受信（周波数変換器４３によって行われる周波数変換が含まれてもよい。）
(2-4) トランスバーサルフィルタ５１に設定される係数の更新の規制（または既定の初期値へのプリセットおよび固定）
【００７２】
(3) 「割り込み放送期間」から「再送信期間」に移行した時点には、上記項目の全ての制止を解除する（図６ステップＳ３）。
【００７３】
すなわち、「割り込み放送期間」から「再送信期間」に移行した時点では、トランスバーサルフィルタ５１は、その「割り込み放送期間」に制止されていた項目の組み合わせに応じて、さらに先行する「再送信期間」に設定されていた状態を引き継ぐことなく回り込みキャンセルに必要な濾波処理を続行できる。
【００７４】
このように本実施形態によれば、割り込み放送が終了した後における放送波の再送信は、トランスバーサルフィルタ５１が速やかに定常状態に収束可能な条件下で開始される。
【００７５】
したがって、割り込み放送の終了後における放送波の再送信は、回り込みキャンセラーが過渡的に好ましくない応答をすることなく、確度高く安定に再開される。
【００７６】
なお、本実施形態では、上記項目の制止が「割り込み放送期間」に行われている。
しかし、このような期間は、「割り込み放送期間」に限定されず、例えば、トランスバーサルフィルタ５１の係数を更新するために行う処理の過程で制御部３１によって推定された回り込み波のレベルが所定の閾値を下回る期間に設定されてもよい。
【００７７】
また、上述した各実施形態では、所望の精度や応答性で回り込みキャンセルを実現できるならば、トランスバーサルフィルタ５１は、ＩＩＲフィルタその他の如何なる方式のフィルタで代替されてもよい。
【００７８】
さらに、上述した各実施形態では、本発明は、親局から到来した放送波の搬送波周波数に意図的に既知の周波数オフセット（電波法上の規格における周波数の許容偏差内）を付加して再送信する中継装置に適用されている。
【００７９】
しかし、本発明は、このような中継装置に限定されず、回り込みキャンセルを実現する装置に適用されてもよく、あるいはこのような装置に組み込み可能に構成された別体の装置として構成されてもよい。
【００８０】
また、本発明は、ＡＭ方式のラジオ放送に限定されず、例えば、セグメント単位で再放送波と割り込み放送波との切り替えが行われるディジタル方式の放送系にも同様に適用可能である。
【００８１】
また、本発明は、上述した実施形態に限定されず、本発明の範囲において多様な実施形態の構成が可能であり、構成要素の全てまたは一部に如何なる改良が施されてもよい。
【符号の説明】
【００８２】
１１，３１，４６  制御部
１２  送信機
３２，５２  スイッチ
４１，５０  アンテナ
４２，４８  局部発振器
４３，４７，４９  周波数変換器
４４  加算器
４５  周波数オフセット付加部
５１  トランスバーサルフィルタ
【図１】
2014093548.tif 000003
【図２】
2014093548.tif 000004
【図３】
2014093548.tif 000005
【図４】
2014093548.tif 000006
【図５】
2014093548.tif 000007
【図６】
2014093548.tif 000008
【図７】
2014093548.tif 000009